(57)【特許請求の範囲】
【請求項１】
光学系が集光した光を受光して画像データを生成する撮像部を備えた撮像装置であって、
前記撮像部が生成した前記画像データに対応する主画像から所定の領域を切り出して副画像データを生成する副画像生成部と、
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換え可能な操作部と、
前記操作部によって切り換えられた当該撮像装置の現在の前記モードに応じたパラメータを変更するパラメータ変更部と、
前記横方向に変更するモードに関するアイコン、前記縦方向に変更するモードに関するアイコンおよび前記光学系による光学ズームのパラメータを変更するモードに関するアイコンを表示部に表示させる表示制御部と、
を備え、
前記操作部は、前記光学系の光軸を中心に回転自在な操作リングを有し、
前記パラメータ変更部は、前記操作リングの操作に応じて選択されたアイコンに応じて、当該撮像装置に設定された現在のモードに応じたパラメータを変更することを特徴とする撮像装置。
【請求項２】
光学系が集光した光を受光して画像データを生成する撮像部を備えた撮像装置であって、
前記撮像部が生成した前記画像データに対応する主画像から所定の領域を切り出して副画像データを生成する副画像生成部と、
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換え可能な操作部と、
前記操作部によって切り換えられた当該撮像装置の現在の前記モードに応じたパラメータを変更するパラメータ変更部と、
を備え、
前記操作部は、前記光学系の光軸を中心に回転自在な操作リングを有し、
前記操作リングは、前記光軸の方向に沿って第１の位置と第２の位置との間で進退可能であり、
前記パラメータ変更部は、前記操作リングが前記第２の位置に位置する場合、前記操作リングの回転に応じて、当該撮像装置の現在の前記モードに応じたパラメータを変更することを特徴とする撮像装置。
【請求項３】
前記撮像部が連続的に生成する前記主画像から前記切り出し領域を順次切り出して生成した前記副画像データを生成順に記録する記録部をさらに備えたことを特徴とする請求項１または２に記載の撮像装置。
【請求項４】
前記主画像に含まれる被写体の顔を検出する顔検出部と、
前記顔検出部によって検出された顔を一部に含む領域を、前記初期設定領域に設定する撮影制御部と、
をさらに備えことを特徴とする請求項１〜３のいずれか一つに記載の撮像装置。
【請求項５】
光学系が集光した光を受光して画像データを生成する撮像部と、前記撮像部が生成した前記画像データに対応する主画像から所定の領域を切り出して副画像データを生成する副画像生成部と、ユーザの操作を受け付け可能な操作部と、を備える撮像装置であって、前記操作部が前記光学系の光軸を中心に回転自在な操作リングを有する撮像装置が実行する撮像方法であって、
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換える切換ステップと、
当該撮像装置の現在の前記モードに応じたパラメータを変更するパラメータ変更ステップと、
前記横方向に変更するモードに関するアイコン、前記縦方向に変更するモードに関するアイコンおよび前記光学系による光学ズームのパラメータを変更するモードに関するアイコンを表示部に表示させる表示制御ステップと、
を含み、
前記パラメータ変更ステップは、前記操作リングの操作に応じて選択されたアイコンに応じて、当該撮像装置に設定された現在の前記モードに応じたパラメータを変更することを特徴とする撮像方法。
【請求項６】
光学系が集光した光を受光して画像データを生成する撮像部と、前記撮像部が生成した前記画像データに対応する主画像から所定の領域を切り出して副画像データを生成する副画像生成部と、ユーザの操作を受け付け可能な操作部と、を備える撮像装置であって、前記操作部が前記光学系の光軸を中心に回転自在な操作リングを有する撮像装置が実行する撮像方法であって、
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換える切換ステップと、
当該撮像装置の現在の前記モードに応じたパラメータを変更するパラメータ変更ステップと、
を含み、
前記操作リングは、前記光軸の方向に沿って第１の位置と第２の位置との間で進退可能であり、
前記パラメータ変更ステップは、前記操作リングが前記第２の位置に位置する場合、前記操作リングの回転に応じて、当該撮像装置の現在の前記モードに応じたパラメータを変更することを特徴とする撮像方法。
【請求項７】
光学系が集光した光を受光して画像データを生成する撮像部と、前記撮像部が生成した前記画像データに対応する主画像から所定の領域を切り出して副画像データを生成する副画像生成部と、ユーザの操作を受け付け可能な操作部と、を備える撮像装置であって、前記操作部が前記光学系の光軸を中心に回転自在な操作リングを有する撮像装置に、
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換える切換ステップと、
当該撮像装置の現在の前記モードに応じたパラメータを変更するパラメータ変更ステップと、
前記横方向に変更するモードに関するアイコン、前記縦方向に変更するモードに関するアイコンおよび前記光学系による光学ズームのパラメータを変更するモードに関するアイコンを表示部に表示させる表示制御ステップと、
を実行させ、
前記パラメータ変更ステップは、前記操作リングの操作に応じて選択されたアイコンに応じて、当該撮像装置に設定された現在の前記モードに応じたパラメータを変更することを特徴とするプログラム。
【請求項８】
光学系が集光した光を受光して画像データを生成する撮像部と、前記撮像部が生成した前記画像データに対応する主画像から所定の領域を切り出して副画像データを生成する副画像生成部と、ユーザの操作を受け付け可能な操作部と、を備える撮像装置であって、前記操作部が前記光学系の光軸を中心に回転自在な操作リングを有する撮像装置に
ユーザの操作に応じて、当該撮像装置のモードを、少なくとも前記副画像生成部が前記主画像から切り出す切り出し領域を初期設定領域から横方向に変更するモード、前記切り出し領域を前記初期設定領域から縦方向に変更するモード、前記光学系による光学ズームのパラメータを変更するモードのいずれか一つに切り換える切換ステップと、
当該撮像装置の現在の前記モードに応じたパラメータを変更するパラメータ変更ステップと、
を実行させ、
前記操作リングは、前記光軸の方向に沿って第１の位置と第２の位置との間で進退可能であり、
前記パラメータ変更ステップは、前記操作リングが前記第２の位置に位置する場合、前記操作リングの回転に応じて、当該撮像装置の現在の前記モードに応じたパラメータを変更することを特徴とするプログラム。
【発明の詳細な説明】
【技術分野】
【０００１】
本発明は、被写体を撮像して光電変換を行うことによって電子的な画像データを生成する撮像装置に関する。
【背景技術】
【０００２】
近年、デジタルカメラ等の撮像装置において、同時点の被写体を撮像して、視野が異なる２つの画像データを記録することができる技術が知られている（特許文献１参照）。この技術では、予め設定された撮像部の第１の領域に対応する主画像データと、この第１の領域より小さい第２の領域に対応する副画像データとを撮像部から交互に読み出すことにより、視野が異なる２つの画像データを記録することができる。
【先行技術文献】
【特許文献】
【０００３】
【特許文献１】特開平４−７３６２８号公報
【発明の概要】
【発明が解決しようとする課題】
【０００４】
ところで、上述した従来技術では、互いの視野が異なる２つの領域を設定する場合には、撮像装置の側面に設けられたスイッチを操作しなければならなかった。このため、互いに視野が異なる２つの領域を変更している間に被写体のシャッタチャンスを逃してしまうという問題があった。
【０００５】
本発明は、上記に鑑みてなされたものであって、被写体のシャッタチャンスを逃すことなく、視野が異なる２つの領域を容易に変更して撮像することができる撮像装置を提供することを目的とする。
【課題を解決するための手段】
【０００６】
上述した課題を解決し、目的を達成するために、本発明にかかる撮像装置は、所定の視野領域を集光する光学系を有するレンズ鏡筒を備えた撮像装置であって、前記光学系が集光した光を受光して画像データを生成する撮像部と、リング状をなし、前記レンズ鏡筒の外周部に設けられ、前記光学系の光軸を中心に回転自在な操作リングと、前記撮像部が生成した前記画像データに対応する主画像から所定の領域を切り出して副画像データを生成する副画像生成部と、前記操作リングの操作に応じて、前記副画像生成部が前記主画像から切り出す切出し領域のパラメータのいずれかを変更するパラメータ変更部と、を備えたことを特徴とする。
【０００７】
また、本発明にかかる撮像装置は、上記発明において、前記切出し領域のパラメータは、前記操作リングの操作に応じて、前記光学系の画角、前記切出し領域の大きさおよび前記主画像における前記切出し領域の位置のいずれか一つを含むことを特徴とする。
【０００８】
また、本発明にかかる撮像装置は、上記発明において、前記操作リングは、前記光軸方向に沿って第１の位置と第２の位置との間で進退可能であり、前記パラメータ変更部は、前記操作リングが前記第１の位置に位置している場合において、前記操作リングが回転されたとき、前記光学系の画角を変更する一方、前記操作リングが前記第２の位置に位置している場合において、前記操作リングが回転されたとき、前記切出し領域の大きさまたは前記主画像における前記切出し領域の位置を変更することを特徴とする。
【０００９】
また、本発明にかかる撮像装置は、上記発明において、前記操作リングは、前記光学方向に沿って第１の位置と第２の位置との間で進退可能であり、前記パラメータ変更部は、前記操作リングが前記第１の位置と第２の位置との間を往復した回数に応じて、前記光学系の画角、前記切出し領域の大きさおよび前記主画像における前記切出し領域の位置を順次切り換えて変更することを特徴とする。
【００１０】
また、本発明にかかる撮像装置は、上記発明において、前記操作リングは、前記第１の位置および前記第２の位置それぞれの内周側に複数の凹部が周方向に沿って形成され、前記レンズ鏡筒に設けられ、前記レンズ鏡筒の所定の径方向に沿って進退可能であり、少なくとも該径方向に前記操作リングの内周のうち前記溝部以外の内周が位置しているとき、該内周を押圧する押圧部をさらに備えたことを特徴とする。
【００１１】
また、本発明にかかる撮像装置は、上記発明において、前記操作リングは、前記第１の位置に比して前記第２の位置に前記溝部を多く形成していることを特徴とする。
【００１２】
また、本発明にかかる撮像装置は、上記発明において、前記主画像に含まれる被写体の顔を検出する顔検出部と、前記顔検出部によって検出された顔を一部に含む領域を、初期の前記切出し領域として設定する撮影制御部と、をさらに備えことを特徴とする。
【００１３】
また、本発明にかかる撮像装置は、上記発明において、前記撮影制御部が設定した前記切出し領域に含まれる被写体を、時間の経過とともに前記主画像内で追尾する追尾被写体として設定する追尾被写体設定部をさらに備え、前記パラメータ変更部は、前記追尾被写体設定部によって設定された前記追尾被写体の移動に応じて、前記切出し領域の位置を変更することを特徴とする。
【００１４】
また、本発明にかかる撮像装置は、上記発明において、前記撮像部が連続的に生成する前記画像データを生成順に記録するとともに、前記副画像生成部が前記主画像から前記切出し領域を順次切り出して生成した前記副画像データを生成順に記録する記録部をさらに備えたことを特徴とする。
【発明の効果】
【００１５】
本発明によれば、パラメータ変更部が操作リングの操作に応じて、副画像生成部が撮像部によって生成された画像データに対応する主画像から切り出す切出し領域のパラメータを変更する。この結果、被写体のシャッタチャンスを逃すことなく、視野が異なる２つの領域を容易に変更して撮像することができるという効果を奏する。
【図面の簡単な説明】
【００１６】
【図１】図１は、本発明の実施の形態１にかかる撮像装置の被写体に面する側の構成を示す図である。
【図２】図２は、本発明の実施の形態１にかかる撮像装置の撮影者に面する側の構成を示す図である。
【図３】図３は、本発明の実施の形態１にかかる撮像装置の構成を示すブロック図である。
【図４】図４は、図１に示すレンズ鏡筒の沈胴状態における要部の構成を示す断面図である。
【図５】図５は、図１に示すレンズ鏡筒の伸長状態における要部の構成を示す断面図である。
【図６】図６は、図４に示す操作部の要部の構成を拡大した断面図である。
【図７】図７は、図４に示す操作部が光軸に沿う方向に移動した状態で操作部の要部の構成を拡大した断面図である。
【図８】図８は、光軸方向から見た際の操作部の要部の断面図である。
【図９】図９は、光軸方向から見た際の操作部の要部の別の断面図である。
【図１０】図１０は、操作部の要部を拡大した断面図である。
【図１１】図１１は、操作部の変化を模式的に示す断面図である。
【図１２】図１２は、本発明の実施の形態１にかかる撮像装置が実行する処理の概要を示すフローチャートである。
【図１３】図１３は、撮影者が撮像装置を用いて撮影する際の状況を模式的に示す図である。
【図１４】図１４は、表示部が表示する画像の一例を示す図である。
【図１５】図１５は、撮影者が撮像装置を用いて撮影する際の別の状況を模式的に示す図である。
【図１６】図１６は、操作リングの操作に応じて表示部が表示する画像の一例を示す図である。
【図１７】図１７は、操作リングの操作に応じて表示部が表示する画像の一例を示す図である。
【図１８】図１８は、操作リングの操作に応じて表示部が表示する画像の一例を示す図である。
【図１９】図１９は、操作リングの操作に応じて表示部が表示する画像の一例を示す図である。
【図２０】図２０は、操作リングの操作に応じて表示部が表示する画像の一例を示す図である。
【図２１】図２１は、本発明の実施の形態２にかかる撮像装置が実行する処理の概要を示すフローチャートである。
【図２２】図２２は、操作リングの操作に応じて表示部が表示する画像の一例を示す図である。
【発明を実施するための形態】
【００１７】
以下、図面を参照して、本発明を実施するための形態（以下、「実施の形態」という）を説明する。図面の記載において、同一の部分には同一の符号を付して説明する。また、図面は、模式的なものであり、各部の寸法や比率は、現実と異なることに留意する必要がある。さらに、図面の相互間においても、互いの寸法の関係や比率が異なる部分が含まれる。なお、以下の説明において、本発明にかかる撮像装置の一例としてコンパクトデジタルカメラを例示するが、この実施の形態によって本発明が限定されるものではない。
【００１８】
（実施の形態１）
図１は、本発明の実施の形態１にかかる撮像装置の被写体に面する（前面側）の構成を示す図である。図２は、本発明の実施の形態１にかかる撮像装置の撮影者に面する側（背面側）の構成を示す図である。図３は、本発明の実施の形態１にかかる撮像装置の構成を示すブロック図である。
【００１９】
図１〜３に示すように、撮像装置１は、本体部２と、本体部２に設けられたレンズ鏡筒３と、本体部２に対して着脱自在な接眼部（電子ビューファインダ）４と、を備える。
【００２０】
本体部２は、光学系２１と、レンズ駆動部２２と、絞り２２と、絞り駆動部２４と、シャッタ２５と、シャッタ駆動部２６と、撮像部２７と、撮像部駆動部２８と、信号処理部２９と、発光部３０と、時計３１と、アクセサリ通信部３２と、入力部３３と、表示部３４と、タッチパネル３５と、記録部３６と、操作部３７と、制御部３８と、を備える。
【００２１】
光学系２１は、一または複数のレンズを用いて構成される。光学系２１は、所定の視野領域から光を集光する。光学系２１は、画角を変化させる光学ズーム機能および焦点を変化させるフォーカス機能を有する。レンズ駆動部２２は、ＤＣモータまたはステッピングモータ等を用いて構成され、光学系２１のレンズを光軸Ｏ上で移動させることにより、光学系２１のピント位置や画角等の変更を行う。なお、光学系２１の詳細な構成については後述する。
【００２２】
絞り２３は、光学系２１が集光した光の入射量を制限することにより露出の調整を行う。絞り駆動部２４は、ステッピングモータ等を用いて構成され、絞り２３を駆動する。
【００２３】
シャッタ２５は、撮像部２７の状態を露光状態または遮光状態に設定する。シャッタ駆動部２６は、ステッピングモータ等を用いて構成され、制御部３８から入力される指示信号に応じてシャッタ２５を駆動する。
【００２４】
撮像部２７は、光学系２１が集光した光を受光して電気信号に変換するＣＣＤ（Charge  Coupled  Device）またはＣＭＯＳ（Complementary  Metal  Oxide  Semiconductor）等を用いて構成される。撮像部駆動部２８は、制御部３８の制御のもと、所定のタイミングで撮像部２７から画像データ（アナログ信号）を信号処理部２９へ出力させる。この意味で、撮像部駆動部２８は、電子シャッタとして機能する。
【００２５】
信号処理部２９は、撮像部２７から出力される画像データに増幅等の信号処理を施した後、Ａ／Ｄ変換を行うことによってデジタルの画像データを生成して制御部３８へ出力する。具体的には、信号処理部２９は、アナログ信号に対して、ノイズ低減処理およびゲインアップ処理等を行う。たとえば、信号処理部２９は、アナログ信号に対して、リセットノイズ等を低減した上で波形整形後、目的の明るさとなるようにゲインアップを行う。
【００２６】
発光部３０は、キセノンランプまたはＬＥＤ（Light  Emitting  Diode）等を用いて構成される。発光部３０は、撮像装置１が撮像する視野領域へ向けて補助光であるストロボ光を照射する。
【００２７】
時計３１は、計時機能および撮影日時の判定機能を有する。時計３１は、撮像部２７によって撮像された画像データに日時データを付加するため、制御部３８に日時データを出力する。
【００２８】
アクセサリ通信部３２は、本体部２に装着される接眼部４との通信を行うための通信インターフェースである。なお、アクセサリ通信部３２は、接眼部４と異なるアクセサリ、たとえばエレクトロニックフラッシュ、ＧＰＳ受信装置およびマイク等と双方向に通信を行うこともできる。
【００２９】
入力部３３は、図１および図２に示すように、撮像装置１の電源状態をオン状態またはオフ状態に切り換える電源スイッチ３３ａと、静止画撮影の指示を与えるレリーズ信号を入力するレリーズスイッチ３３ｂと、撮像装置１に設定された各種撮影モード切換の指示を与える切換信号を入力する撮影モード切換スイッチ３３ｃと、動画撮影の指示を与える動画レリーズ信号を入力する動画スイッチ３３ｄと、を有する。レリーズスイッチ３３ｂは、外部からの押圧により進退可能である。レリーズスイッチ３３ｂが半押しされた場合、撮影準備動作を指示するファーストレリーズ信号が入力される。これに対し、レリーズスイッチ３３ｂが全押しされた場合、静止画撮影を指示するセカンドレリーズ信号が入力される。
【００３０】
表示部３４は、液晶または有機ＥＬ（Electro  Luminescence）等からなる表示パネルを用いて実現される。表示部３４は、画像データに対応する画像を表示する。表示部３４は、撮像装置１の操作に関する操作情報や撮影に関する撮影情報を表示する。ここで、画像の表示には、撮影直後の画像データを所定時間（たとえば３秒）だけ表示するレックビュー表示、記録部３６に記録された画像データを再生する再生表示、および撮像部２７が連続的に生成する画像データに対応するライブビュー画像を時系列に沿って順次表示するライブビュー画像表示等が含まれる。
【００３１】
タッチパネル３５は、表示部３４の表示画面上に設けられる。タッチパネル３５は、外部からの物体のタッチを検出し、検出したタッチ位置に応じた位置信号を出力する。また、タッチパネル３５は、ユーザが表示部３４で表示される情報に基づいて接触した位置を検出し、この検出した接触位置に応じて撮像装置１が行う動作を指示する指示信号の入力を受け付けてもよい。一般に、タッチパネル３５としては、抵抗膜方式、静電容量方式、光学方式等がある。本実施の形態１では、いずれの方式のタッチパネルであっても適用可能である。
【００３２】
記録部３６は、撮像装置１の内部に固定的に設けられるフラッシュメモリやＤＲＡＭ（Dynamic  Random  Access  Memory）等の半導体メモリを用いて実現される。記録部３６は、撮像装置１を動作させるための各種プログラム、本実施の形態１にかかるプログラムおよびプログラムの実行中に使用される各種データやパラメータ等を記録する。記録部３６は、画像データを記録するとともに、本体部２に装着可能な光学系２１の情報や光学系２１に応じた画像データの補正情報等の情報を記録する。なお、記録部３６が、外部から装着されるメモリカード等のコンピュータで読取可能な記憶媒体を含むものであってもよい。
【００３３】
操作部３７は、レンズ鏡筒３に設けられ、撮像装置１の各種パラメータを変更する。たとえば、操作部３７は、光学系２１による光学ズームの倍率および光学系２１のピンチ位置等を変更する。操作部３７は、操作リング３７１と、アクチュエータ３７２と、アクチュエータ駆動部３７３と、位置検出部３７４と、回転位置検出部３７５と、を有する。
【００３４】
操作リング３７１は、図１に示すように、撮像装置１のレンズ鏡筒３の外周部に設けられる。操作リング３７１は、光学系２１の光軸Ｏを中心に回転自在である。また、操作リング３７１は、光軸Ｏ方向に沿って所定範囲内で進退可能である。操作リング３７１は、撮像装置１がマニュアルフォーカス撮像モード（以下、「ＭＦ撮影モード」という）に設定されている場合、撮像装置１におけるピント位置を変更する。操作リング３７１は、光軸Ｏ方向に伸びる溝部を周方向に複数形成されている。
【００３５】
アクチュエータ３７２は、レンズ鏡筒３に設けられ、レンズ鏡筒３の所定の径方向に沿って進退可能であり、少なくともレンズ鏡筒３の径方向に操作リング３７１の内周のうち溝部以外の内周が位置しているとき、操作リング３７１の内周を押圧する。具体的には、アクチュエータ３７２は、操作リング３７１が回転する際に摩擦力を生じさせるように、操作リング３７１の内周側から径方向に押圧する。アクチュエータ駆動部３７３は、制御部３８の制御のもと、アクチュエータ３７２を駆動する。なお、アクチュエータ３７２の詳細な構成について後述する。
【００３６】
位置検出部３７４は、フォトインタラプタや導通センサ等を用いて構成され、操作リング３７１の光軸Ｏ方向における位置を検出する。具体的には、位置検出部３７４は、操作リング３７１が光学Ｏにおける位置を検出し、検出結果を制御部３８へ出力する。
【００３７】
回転位置検出部３７５は、エンコーダおよびフォトインタラプタを用いて構成され、操作リング３７１の光軸Ｏ周りの回転方向および回転量を検出する。具体的には、回転位置検出部３７５は、操作リング３７１に周方向に所定の間隔で設けられた複数の遮光片の通過をフォトインタラプタで検出し、このフォトインタラプタの出力信号に基づいて、操作リング３７１の回転方向および回転量を検出する。なお、回転位置検出部３７５は、ポテンショメータを用いて構成してもよい。また、回転位置検出部３７５は、２つのエンコーダを用いて操作リング３７１の回転方向と回転量とをそれぞれ検出してもよい。
【００３８】
制御部３８は、ＣＰＵ（Central  Processing  Unit）等を用いて構成される。制御部３８は、入力部３３または操作部３７から入力される指示信号または検出信号に応じて、撮像装置１を構成する各部に対して制御信号が各種データの送信を行うことにより、撮像装置１の動作を統括的に制御する。
【００３９】
制御部３８の詳細な構成について説明する。制御部３８は、画像処理部３８１と、顔検出部３８２と、追尾被写体設定部３８３と、副画像生成部３８４と、パラメータ変更部３８５と、撮影制御部３８６と、表示制御部３８７と、記録制御部３８８と、を有する。
【００４０】
画像処理部３８１は、画像エンジン（画像コントローラ）を用いて構成され、信号処理部２９から入力される画像データに対して各種の画像処理を行う。具体的には、画像処理部３８１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部３８１は、ＪＰＥＧ（Joint  Photographic  Experts  Group）方式、ＭｏｔｉｏｎＪＰＥＧ方式およびＭＰ４（Ｈ．２６４）方式等に従って画像データを圧縮する。
【００４１】
顔検出部３８２は、画像データに対応する画像に含まれる人物の顔をパターンマッチングによって検出する。なお、顔検出部３８２は、人物の顔だけでなく、犬や猫等の顔を検出してもよい。さらに、顔検出部３８２は、パターンマッチング以外の周知技術を用いて人物の顔を検出してもよい。
【００４２】
追尾被写体設定部３８３は、顔検出部３８２によって検出された顔の被写体を、時間の経過とともに主画像内で追尾する追尾被写体として設定する。具体的には、追尾被写体設定部３８３は、連続して生成される複数の主画像にそれぞれ含まれる顔検出部３８２によって検出された顔を一部に含む領域の画像情報の変化に基づいて、時間の経過とともに主画像内で移動する移動被写体を追尾する追尾被写体として設定する。ここで、画像情報とは、エッジ情報、色情報、輝度情報および濃淡情報である。追尾被写体設定部３８３は、連続して生成される複数の主画像それぞれに対して、所定の処理、たとえばたとえばエッジ検出処理および２値化処理等を行って、時間の経過とともに主画像内で移動する移動被写体を追尾被写体として設定する。
【００４３】
副画像生成部３８４は、撮像部２７が生成した画像データに対応する主画像から所定の領域を切り出して副画像データを生成する。具体的には、副画像生成部３８４は、主画像から顔検出部３８２によって検出された人物の顔を含む領域をトリミング処理によって切り出すことによって、副画像データを生成する。なお、副画像生成部３８４は、画像処理部３８１と異なる画像エンジンを用いて構成し、撮像部２７から出力される１つの画像データ（１フレーム）に対して、たとえば画像処理部３８１が行う通常の画像処理とトリミング処理とを含む画像処理を行って、主画像と視野が異なる副画像データを生成してもよい。
【００４４】
パラメータ変更部３８５は、操作部３７の操作に応じて、副画像生成部３８４が主画像から切り出す切出し領域のパラメータを変更する。具体的には、パラメータ変更部３８５は、操作部３７の操作に応じて、光学系２１の画角（ズーム倍率）、副画像生成部３８４が主画像から切り出す切出し領域の大きさおよび主画像における切出し領域の位置のいずれか一つを、切出し領域のパラメータとして変更する。
【００４５】
撮影制御部３８６は、レリーズスイッチ３３ｂを介してセカンドレリーズ信号が入力された場合、撮像装置１における撮影動作を開始する制御を行う。ここで、撮像装置１における撮影動画とは、シャッタ駆動部２６および撮像部駆動部２８の駆動によって撮像部２７が出力した画像データに対して、信号処理部２９および画像処理部３８１が所定の処理を施す動作をいう。このように処理が施された画像データは、撮影制御部３８６によって記録部３６に記録される。
【００４６】
表示制御部３８７は、画像データに対応する画像を表示部３４および／または接眼表示部４２に表示させる。具体的には、表示制御部３８７は、接眼表示部４２が表示可能な状態、たとえば電源がオン状態に設定された場合、画像データに対応するライブビュー画像を接眼表示部４２に表示させる一方、接眼表示部４２がオフ状態に設定された場合、画像データに対応するライブビュー画像を表示部３４に表示させる。また、表示制御部３８７は、副画像生成部３８４が生成した副画像を接眼表示部４２に表示させる。さらに、表示制御部３８７は、副画像生成部３８４が主画像から切り出す切出し領域を示す情報、表示部３４が表示する主画像（ライブビュー画像）上に重畳して表示させる。
【００４７】
記録制御部３８８は、撮像部２７によって連続的に生成された画像データに対して、信号処理部２９および画像処理部３８１が所定の画像処理を順次施した画像データと、副画像生成部３８４が画像データに対応する主画像内の所定領域から順次切出した副画像データとを生成順に記録部３６に記録する。
【００４８】
以上の構成を有する本体部２に対して、インターネットを介してパーソナルコンピュータ（図示せず）と双方向に通信可能な通信機能を具備させてもよい。
【００４９】
接眼部４は、ユーザが目を近接させることによって認識可能な表示画面を表示する。接眼部４は、撮像部２７が生成した画像データに対応するライブビュー画像を表示する。接眼部４は、接眼通信部４１と、接眼表示部４２と、を備える。
【００５０】
接眼通信部４１は、接眼部４が本体部２に装着されたときに、本体部２のアクセサリ通信部３２と通信を行うためのインターフェースである。
【００５１】
接眼表示部４２は、液晶または有機ＥＬ等からなる表示パネルを用いて実現される。接眼表示部４２は、画像データに対応するライブビュー画像を表示する。接眼表示部４２は、撮像装置１の操作情報または撮影状況に関する撮影情報をライブビュー画像に重畳して表示する。接眼表示部４２は、ユーザが目を近接させることにより、ライブビュー画像が確認される。接眼表示部４２は、表示制御部３８７の制御のもと、副画像生成部３８４が連続的に生成した副画像データに対応する副画像を表示する。
【００５２】
ここで、上述した光学系２１等を含む撮像装置１に組み込まれるレンズ鏡筒３について詳細に説明する。図４は、レンズ鏡筒３の沈胴状態における要部の構成を示す断面図である。図５は、レンズ鏡筒３の伸長状態における要部の構成を示す断面図である。なお、図４および図５において、左側が前方側であり、右側が後方側である。
【００５３】
図４および図５に示すように、レンズ鏡筒３は、撮像部２７を保持するセンサユニット１０１のベース部材に固定される固定枠１０２と、固定枠１０２に支持されてズーミング動作時および沈胴動作時に回転駆動されるとともに、光軸Ｏに沿う方向に進退駆動されるカム枠１０３と、回転規制状態でカム枠１０３とともに、光軸Ｏに沿う方向に進退するフロートキー１０４と、回転規制状態でカム枠１０３とともに、光学Ｏに沿う方向に進退するガイド枠１０５と、回転規制状態でカム枠１０３の回転により光軸Ｏに沿う方向に進退する光学系２１の１群レンズＧ１を保持する１群枠１０６と、回転規制状態でカム枠１０３の回転により光軸Ｏに沿う方向に進退する２群レンズＧ２を保持する２群枠１０７と、回転規制状態でカム枠１０３の回転により光軸Ｏに沿う方向に進退する３群レンズＧ３を保持する３群枠１０８と、シャッタ２５を保持するシャッタ枠１０９と、シャッタ枠１０９を支持するとともに、３群枠１０８を保持する３群ユニット１１０と、固定枠１０２に光軸Ｏに沿う方向に進退可能に結合された４群レンズ（フォーカシングレンズ）Ｇ４を保持する４群枠１１１と、撮像部２７を保持するセンサユニット枠１１２と、固定枠１０２に対して回転可能な操作リング３７１と、を有する。なお、第１群レンズＧ１、第２群レンズＧ２、第３群レンズＧ３および第４群レンズＧ４は、光学系２１を構成する。
【００５４】
固定枠１０２は、円筒状をなす。固定枠１０２は、外周部に光学系２１のズーミング動作を行うためのズーム駆動ユニット（図示せず）が設けられている。また、固定枠１０２は、内周部に光学系２１のフォーカシング動作を行うためのフォーカス駆動ユニット２２ａが配設されている。ズーム駆動ユニットは、光学系２１のうちズーミング動作に寄与するズーム光学系（第１群レンズＧ１、第２群レンズＧ２および第３群レンズＧ３）を光軸Ｏに沿う方向に駆動するズーミング動作を行うとともに、レンズ鏡筒３を撮影可能な状態から沈胴状態へ駆動させる沈胴動作を行う。また、フォーカス駆動ユニット２２ａは、光学系２１のうちフォーカシング動作に寄与するフォーカシング光学系（第４群レンズＧ４）を光軸Ｏに沿う方向に駆動するフォーカシング動作を行う。
【００５５】
カム枠１０３は、円筒状をなす。カム枠１０３は、固定枠１０２の内周部に回動および進退自在な状態で嵌入している。カム枠１０３は、ズーム駆動ユニットによって回転しながら沈胴状態にある位置（後方移動端：図４を参照）から撮影可能状態における短焦点位置であるワイド端（前方移動端：図５を参照）にまで前方に繰り出される。カム枠１０３は、レンズ鏡筒３が撮影可能な状態にある場合において、短焦点位置であるワイド端から長焦点位置であるテレ端までの間におけるズーミング動作中のとき、光学Ｏに沿う方向に進退することなく、前方移動端において回転方向にのみ駆動される。
【００５６】
フロートキー１０４は、円筒状をなす。フロートキー１０４は、カム枠１０３の内周部において相対的に回転自在に嵌入している。フロートキー１０４は、固定枠１０２によって回転規制された状態で、カム枠１０３とともに光軸Ｏに沿う方向へ進退可能に移動する。また、フロートキー１０４は、内周部で２群枠１０７および３群ユニット１１０を進退可能に支持するとともに、２群枠１０７および３群ユニット１１０の回転を規制している。
【００５７】
ガイド枠１０５は、円筒状をなす。ガイド枠１０５は、後端内周部にカム枠１０３の結合溝（図示せず）に嵌入するバヨネット突起（図示せず）を有する。ガイド枠１０５は、内周部に光軸Ｏに沿う方向に１群枠１０６を進退可能に支持するとともに、１群枠１０６の回転を規制している。また、ガイド枠１０５は、固定枠１０２の内周部に嵌入した状態で、カム枠１０３とバヨネット結合されて配置される。ガイド枠１０５は、フロートキー１０４と同様に、固定枠１０２に対して回転が規制された状態された状態で、光軸Ｏに沿う方向にカム枠１０３と一体に進退可能に移動する。
【００５８】
１群枠１０６は、円筒状をなす。１群枠１０６は、カム枠１０３とガイド枠１０５との間に嵌入された状態で配置される。１群枠１０６は、１群レンズＧ１を保持する。１群枠１０６は、ガイド枠１０５により回転規制された状態で、カム枠１０３の回転によって進退駆動される。
【００５９】
２群枠１０７は、円筒状をなす。２群枠１０７は、フロートキー１０４の内周部に嵌入された状態で配置されている。２群枠１０７は、内周部の略中央部で２群レンズＧ２を保持する。２群枠１０７は、フロートキー１０４により回転が規制された状態で、カム枠１０３の回転によって光軸Ｏに沿う方向に進退駆動される。２群枠１０７は、カム枠１０３が後方移動端に位置する場合、シャッタ枠１０９の内周側に嵌入する。
【００６０】
３群枠１０８は、円筒状をなす。３群枠１０８は、３群レンズＧ３を保持する保持枠（図示せず）を有する。３群枠１０８は、保持枠がシャッタ枠１０９内に嵌入した状態で、シャッタ枠１０９に固定されている。３群枠１０８は、フロートキー１０４の内部に嵌入した状態で配置される。３群枠１０８は、フロートキー１０４により回転規制された状態で、カム枠１０３によって進退駆動される。
【００６１】
シャッタ枠１０９は、円筒状をなす。シャッタ枠１０９は、シャッタ２５のシャッタ羽根およびこのシャッタ羽根を回転駆動させるアクチュエータ等のシャッタ駆動部２６等を保持する。
【００６２】
３群ユニット１１０は、３群枠１０８と、３群枠１０８の前方側でシャッタ枠１０９を保持する。３群ユニット１１０と２群枠１０７との間には、コイルバネ（図示せず）が配設されている。これにより、２群枠１０７および３群ユニット１１０は、互いに離間する方向に付勢されている。
【００６３】
４群枠１１１は、円筒状をなす。４群枠１１１は、４群レンズＧ４を保持する。４群枠１１１は、フォーカス駆動ユニット２２ａにより、固定枠１０２の内部で光軸Ｏに沿う方向に進退可能に支持される。これにより、４群枠１１１は、レンズ鏡筒３が撮影可能な状態にある場合、適切なフォーカシング位置に調整される一方、レンズ鏡筒３が沈胴動作時に所定の沈胴位置に位置決めされて配置される。
【００６４】
操作部３７は、固定枠１０２に対して操作リング３７１が回転自在に嵌入される。操作部３７は、ユーザによって操作リング３７１が光軸Ｏを中心に回転されることにより、撮像装置１の各種制御パラメータの変更の入力を受け付ける。
【００６５】
ここで、操作部３７の構成について詳細に説明する。図６は、図４に示す操作部３７の要部の構成を拡大した断面図である。図７は、図４に示す操作部３７が光軸Ｏに沿う方向に移動した状態で操作部の要部の構成を拡大した断面図である。図８は、光軸Ｏ方向から見た際の操作部３７の要部の断面図である。図９は、光軸Ｏ方向から見た際の操作部３７の要部の別の断面図である。図１０は、操作部３７の要部を拡大した断面図である。図１１１は、操作部３７の変化を模式的に示す断面図である。
【００６６】
図６〜図１１に示すように、操作部３７は、固定枠１０２に嵌入される操作枠３７６と、操作枠３７６に対して回転可能な操作リング３７１と、操作リング３７１の内周側から径方向（外側）に向けて付勢するアクチュエータ３７２と、アクチュエータ駆動部３７３（図示せず）と、操作リング３７１の位置を検出する位置検出部３７４と、回転位置検出部３７５（図示せず）と、を有する。
【００６７】
操作リング３７１は、リング状（円環状）をなし、操作枠３７６に対して回転自在に嵌入してレンズ鏡筒３の外周部に設けられる。操作リング３７１は、撮像装置１の筐体１ａに保持されることにより、光軸Ｏに沿って第１の位置と第２の位置との間で進退可能である。操作リング３７１は、前方から内周部に光軸Ｏ凹部３７１ａと、溝部３７１ｂと、を有する。凹部３７１ａは、操作リング３７１の周方向に沿って等間隔で複数設けられ、断面が略Ｃ字状をなす（図８を参照）。溝部３７１ｂは、操作リング３７１の周方向に沿って等間隔で設けられ、断面が略三角形をなす。凹部３７１ａは、溝部３７１ｂに比して操作リング３７１に多く設けられる。また、凹部３７１ａは、溝部３７１ｂよりボール３７２ａを保持する保持力が高くなるように溝が深く形成される。
【００６８】
アクチュエータ３７２は、操作枠３７６の内部に設けられる。アクチュエータ３７２は、凹部３７１ａまたは溝部３７１ｂに進退可能なボール３７２ａと、ボール３７２ａを支持する支持部材３７２ｂと、支持部材３７２ｂを介してボール３７２ａを操作リング３７１の内周のうち凹部３７１ａまたは溝部３７１ｂ以外の内周が位置しているとき、操作リング３７１の内周を押圧（付勢）する圧電素子３７２ｃと、圧電素子３７２ｃに駆動電圧を供給するアクチュエータ駆動部３７３としてのＦＰＣ３７２ｄと、円筒状をなし、圧電素子３７２ｃを保持する保持枠３７２ｅと、圧電素子３７２ｃを保持枠３７２ｅに接着する接触部材３７２ｆと、ボール３７２ａを操作リング３７１に向けて付勢する押圧バネ３７２ｇと、ビス３７６ａによって操作枠３７６に固定され、圧電素子３７２ｃ、保持枠３７２ｅおよび押圧バネ３７２ｇを支持する板バネ３７２ｈと、を有する。
【００６９】
このように構成されたアクチュエータ３７２は、ＦＰＣ３７２ｄを介して圧電素子３７２ｃに電圧が印加されることにより、ボール３７２ａが操作リング３７１を押圧する。具体的には、図１１に示すように、ＦＰＣ３７２ｄを介して圧電素子３７２ｃに電圧が印加された場合、圧電素子３７２ｃが操作リング３７１の内周側から径方向に伸長することにより、ボール３７２ａが操作リング３７１の溝部３７１ｂを押圧する（図１１（ａ）を参照）。これにより、ユーザが操作リング３７１を回転させる場合、ボール３７２ａと溝部３７１ｂが接触することにより、クリック音が生じるとともに、ユーザが操作リング３７１の回転方向および回転量を把握することができる。これに対して、アクチュエータ３７２は、ＦＰＣ３７２ｄによる電圧の印加を停止した場合、圧電素子３７２ｃが操作リング３７１の中心側に向けて伸縮することにより、押圧バネ３７２ｇの押圧力に関わらず、ボール３７２ａが中心側に移動し、溝部３７１ｂから離間する（図１１（ａ）→図１１（ｂ））。これにより、ユーザが操作リング３７１を回転させた場合であっても、ボール３７１ｂと溝部３７１ｂがほぼ接触することないので、クリック音が生じることを防止することができる。
【００７０】
位置検出部３７４は、光軸Ｏに沿う方向における操作リング３７１の位置を検出し、検出結果を制御部３８に出力する。位置検出部３７４は、操作リング３７１の後方に設けられた接触部材３７４ａと、接触部材３７４ａと導通する導通部材３７４ｂと、を有する。位置検出部３７４は、光軸Ｏ方向における進退動作により、接触部材３７４ａが導通部材３７４ｂと接触して導通することにより、アクチュエータ３７２のボール３７２ａが凹部３７１ａに嵌合していることを検出する。
【００７１】
このように、操作部３７は、操作リング３７１が操作されることにより、アクチュエータ３７２のボール３７２ａが操作リング３７１の凹部３７１ａまたは溝部３７１ｂを移動する。たとえば、操作部３７は、ボール３７２ａが凹部３７１ａに位置（以下、「第１の位置」という）している場合において、ユーザによって操作リング３７１が回転したとき、ボール３７２ａが隣接する凹部３７１ａに移動する。また、操作部３７は、ボール３７２ａが溝部３７１ｂに位置（以下、「第２の位置」という）している場合において、ユーザによって操作リング３７１が光軸Ｏに沿う方向の前方に移動したとき、ボール３７２ａが溝部３７１ｂから凹部３７１ａ（第１の位置）に移動する。これにより、ユーザは、操作部３７の操作リング３７１を回転または光軸Ｏ方向に前後方向に移動させることにより、撮像装置１の各種設定を切り換える。なお、凹部３７１ａは、溝部３７１ｂに比して隣接する別の凹部３７１ａに移動する際の摩擦力が大きくなるように形成されている。
【００７２】
以上の構成を有する撮像装置１が行う処理について説明する。図１２は、撮像装置１が行う処理の概要を示すフローチャートである。
【００７３】
図１２に示すように、撮像装置１が撮影モードに設定されている場合（ステップＳ１０１：Ｙｅｓ）、表示制御部３８７は、撮像部２７が生成した画像データに対応するライブビュー画像（主画像）を表示部３４に表示させる（ステップＳ１０２）。
【００７４】
続いて、顔検出部３８２は、ライブビュー画像に写る被写体の顔を検出する（ステップＳ１０３）。具体的には、顔検出部３８２は、ライブビュー画像Ｗ１の被写体Ｋ１の顔を検出する。
【００７５】
その後、制御部３８は、操作リング３７１が操作されたか否かを判断する（ステップＳ１０４）。具体的には、制御部３８は、位置検出部３７４から出力された操作リング３７１が第１の位置から第２の位置に移動されたことを示す検出信号の有無、または回転位置検出部３７５から出力された操作リング３７１の回転を示す検出信号の有無により、操作リング３７１が操作されたか否かを判断する。操作リング３７１が操作されたと制御部３８が判断した場合（ステップＳ１０４：Ｙｅｓ）、撮像装置１は、後述するステップＳ１０５へ移行する。これに対して、操作リング３７１が操作されていないと制御部３８が判断した場合（ステップＳ１０４：Ｎｏ）、撮像装置１は、後述するステップＳ１１３へ移行する。
【００７６】
ステップＳ１０５において、制御部３８は、操作リング３７１が第１の位置に位置しているか否かを判断する。具体的には、図１３に示すように、制御部３８は、位置検出部３７４の検出結果に基づいて、操作リング３７１が第１の位置Ｆ１に位置しているか否かを判断する。操作リング３７１が第１の位置Ｆ１に位置していると制御部３８が判断した場合（ステップＳ１０５：Ｙｅｓ）、撮像装置１は、後述するステップＳ１０６へ移行する。これに対して、操作リング３７１が第１の位置Ｆ１に位置していないと制御部３８が判断した場合（ステップＳ１０５：Ｎｏ）、撮像装置１は、後述するステップＳ１０８へ移行する。
【００７７】
ステップＳ１０６において、表示制御部３８７は、モード切換アイコンをライブビュー画像上に重畳して表示させる。具体的には、図１４に示すように、表示制御部３８７は、表示部３４が表示するライブビュー画像Ｗ１上にモード切換アイコンＡ１〜Ａ４を重畳して表示させる。アイコンＡ１は、光学ズームのパラメータを変更するモードに撮像装置１を設定するアイコンである。アイコンＡ２は、副画像生成部３８４が主画像から切り出して副画像を生成する際の切出し領域の範囲を変更するモードに撮像装置１を設定するアイコンである。アイコンＡ３は、副画像生成部３８４が主画像から切り出して副画像を生成する際の切出し領域の主画像における横の位置を変更するモードに撮像装置１を設定するアイコンである。アイコンＡ４は、副画像生成部３８４が主画像から切り出して副画像を生成する際の切出し領域の主画像における縦の位置を変更するモードに撮像装置１を設定するアイコンである。なお、図１４においては、撮像装置１に電源が投入されて、ユーザによって最初に操作リング３７１が第１の位置Ｆ１に移動させられた場合、初期設定でアイコンＡ１が選択された状況（ハイライト表示）を示す。
【００７８】
続いて、制御部３８は、操作リング３７１の回転に応じて、副画像生成部３８４が主画像から切り出す切出し領域のパラメータを変更するモードを切り換える（ステップＳ１０７）。この際、表示制御部３８７は、操作リング３７１の回転に応じて、アイコンＡ１〜Ａ１４のハイライト表示を変更する。その後、撮像装置１は、後述するステップＳ１１３へ移行する。
【００７９】
ステップＳ１０５において、操作リング３７１が第１の位置Ａに位置していないと制御部３８が判断した場合（ステップＳ１０５：Ｎｏ）について説明する。具体的には、図１５に示すように、操作リング３７１が第２の位置Ｆ２に位置していると制御部３８が判断した場合、表示制御部３８７は、撮像装置１の各種パラメータを変更する現在のモードに応じて回転時の操作ガイドをライブビュー画像に重畳して表示部３４に表示させる（ステップＳ１０８）。たとえば、図１６に示すように、表示制御部３８７は、ライブビュー画像Ｗ１上に、現在の光学ズームの倍率を示すバーＢ１、モードの内容を示すモード情報および操作リング３７１の回転により予測される画角のズーム領域Ｚ１を表示部３４に表示させる。
【００８０】
続いて、パラメータ変更部３８５は、操作リング３７１の回転に応じて対応機能パラメータを変更する（ステップＳ１０９）。具体的には、図１６に示すように、パラメータ変更部３８５は、撮像装置１が光学ズームを切り換えるモードに設定されている場合、操作リング３７１の回転量に応じて、レンズ駆動部２２を駆動して光学ズームに寄与する光学系２１を光軸Ｏ方向に沿って移動させることにより、撮像装置１の光学ズームの倍率を変更する（図１７（ａ）→図１７（ｂ）→図１７（ｃ））。
【００８１】
また、図１８に示すように、パラメータ変更部３８５は、撮像装置１が副画像の範囲を変更するモードに設定されている場合（図１８（ａ））、操作リング３７１の回転量に応じて、副画像生成部３８４が主画像Ｗ１１から切り出す領域を、初期設定で顔検出部３８２によって検出された顔を一部に含む領域ｆ１（図１８（ｂ））から拡大また縮小する（図１８（ｃ））。図１８（ｃ）に示す場合、パラメータ変更部３８５は、操作リング３７１の回転に応じて、副画像生成部３８４が主画像Ｗ１１から切り出す領域を領域ｆ１から領域Ｓ１に拡大する。
【００８２】
さらに、図１９に示すように、パラメータ変更部３８５は、撮像装置１が副画像の横位置を変更するモードが選択されている場合（図１９（ａ）において、操作リング３７１が回転したとき、操作リング３７１の回転量に応じて、副画像生成部３８４が主画像Ｗ１１から切り出す領域を、初期設定で顔検出部３８２によって検出された顔を一部に含む領域ｆ１（図１９（ｂ））から横方向に移動して変更する（図１９（ｃ））。図１９（ｃ）に示す場合、パラメータ変更部３８５は、操作リング３７１の回転に応じて、副画像生成部３８４が主画像Ｗ１１から切り出す領域を、初期設定の領域ｆ１から右方向に移動させた領域Ｓ２に変更する。
【００８３】
さらにまた、図２０に示すように、パラメータ変更部３８５は、撮像装置１が副画像の縦位置を変更するモードが選択されている場合（図２０（ａ））において、操作リング３７１が回転したとき、操作リング３７１の回転量に応じて、副画像生成部３８４が主画像Ｗ１１から切り出す領域を、初期設定で顔検出部３８２によって検出された顔を一部に含む領域ｆ１（図２０（ｂ））から縦方向に移動して変更する（図２０（ｃ））。図２０（ｃ）に示す場合、パラメータ変更部３８５は、操作リング３７１の回転に応じて、副画像生成部３８４が主画像Ｗ１１から切り出す領域を、初期設定の領域ｆ１から下方向に移動させた領域Ｓ２に変更する。
【００８４】
図１２に戻り、ステップＳ１１０以降の説明を続ける。ステップＳ１０９において、撮影制御部３８６は、ＭＲ（Multi-Recording）撮影を撮像装置１に設定する。具体的には、撮影制御部３８６は、副画像生成部３８４が生成する副画像データと、撮像部２７が設定されたアスペクト比で生成した画像データ（主画像データ）とを同時に記録するＭＲ撮影を撮像装置１に設定する。この場合、撮影制御部３８６は、記録部３６にＭＲ撮影を行うことを示すフラグを設定する。
【００８５】
続いて、撮影制御部３８６は、パラメータ変更部３８５が変更して設定した副画像生成部３８４が切り出す領域をＭＲ領域として設定する（ステップＳ１１１）。
【００８６】
その後、追尾被写体設定部３８３は、ＭＲ領域内の被写体を追尾被写体に設定する（ステップＳ１１２）。具体的には、追尾被写体設定部３８３は、連続して生成される複数の主画像にそれぞれ含まれるＭＲ領域の画像情報の変化に基づいて、時間の経過とともに画面内で移動する移動被写体を追尾被写体として設定する。追尾被写体設定部３８３は、連続して生成される複数の主画像それぞれに対して、所定の処理、たとえばたとえばエッジ検出処理および２値化処理等を行って、時間の経過とともにＭＲ領域内で移動する移動被写体を、追尾被写体として設定する。これにより、追尾被写体設定部３８３は、被写体が移動した場合、被写体の移動に合わせてＭＲ領域を追尾させながら変更する。
【００８７】
続いて、レリーズスイッチ３３ｂを介してセカンドレリーズ信号が入力された場合（ステップＳ１１３：Ｙｅｓ）において、撮像装置１がＭＲ撮影を設定されているとき（ステップＳ１１４：Ｙｅｓ）、撮像装置１は、撮影制御部３８６の制御のもと、主画像と副画像とを撮影し、撮影した主画像データと副画像データを記録部３６に記録する（ステップＳ１１５）。
【００８８】
これに対して、レリーズスイッチ３３ｂを介してセカンドレリーズ信号が入力された場合（ステップＳ１１３：Ｙｅｓ）において、撮像装置１がＭＲ撮影を設定されていないとき（ステップＳ１１４：Ｎｏ）、撮像装置１は、撮影制御部３８６の制御のもと、主画像を撮影し、撮影した主画像データを記録部３６に記録する（ステップＳ１１６）。
【００８９】
その後、電源スイッチ３３ａが操作されることにより、撮像装置１の電源がオフされた場合（ステップＳ１１７：Ｙｅｓ）、撮像装置１は、本処理を終了する。これに対して、電源スイッチ３３ａを介して撮像装置１の電源がオフされていない場合（ステップＳ１１７：Ｎｏ）、撮像装置１は、ステップＳ１０１へ戻る。
【００９０】
ステップＳ１１３において、レリーズスイッチ３３ｂを介してセカンドレリーズ信号が入力されていない場合（ステップＳ１１３：Ｎｏ）について説明する。この場合、動画スイッチ３３ｄが操作されることにより、動画レリーズ信号が入力された場合（ステップＳ１１８）、撮像装置１は、ステップＳ１１９へ移行する。一方、動画スイッチ３３ｄを介して動画レリーズ信号が入力されていない場合（ステップＳ１１８：Ｎｏ）、撮像装置１は、ステップＳ１１７へ移行する。
【００９１】
ステップＳ１１９において、撮像装置１が動画撮影中でなく（ステップＳ１１９：Ｎｏ）、ＭＲ撮影が設定されている場合（ステップＳ１２０：Ｙｅｓ）、撮像装置１は、撮影制御部３８６の制御のもと、撮像部２７が連続的に生成する主画像データと、副画像生成部３８４が連続的に生成する副画像データとを記録部３６に順次記録するＭＲ動画撮影を開始する（ステップＳ１２１）。その後、撮像装置１は、ステップＳ１１７へ移行する。
【００９２】
ステップＳ１１９において、撮像装置１が動画撮影中でなく（ステップＳ１１９：Ｎｏ）、ＭＲ撮影が設定されていない場合（ステップＳ１２０：Ｎｏ）、撮像装置１は、撮影制御部３８６の制御のもと、撮像部２７が連続的に生成する主画像データを記録部３６に順次記録する動画撮影を開始する（ステップＳ１２２）。その後、撮像装置１は、ステップＳ１１７へ移行する。
【００９３】
ステップＳ１１９において、撮像装置１が動画撮影中であり（ステップＳ１１９：Ｙｅｓ）、ＭＲ動画撮影を行っている場合（ステップＳ１２３：Ｙｅｓ）、撮像装置１は、撮影制御部３８６の制御のもと、ＭＲ動画撮影を終了する（ステップＳ１２４）。その後、撮像装置１は、ステップＳ１１７へ移行する。
【００９４】
ステップＳ１１９において、撮像装置１が動画撮影中であり（ステップＳ１１９：Ｙｅｓ）、ＭＲ動画撮影を行っていない場合（ステップＳ１２３：Ｎｏ）、撮像装置１は、撮影制御部３８６の制御のもと、動画撮影を終了する（ステップＳ１２５）。その後、撮像装置１は、ステップＳ１１７へ移行する。
【００９５】
ステップＳ１０１において、撮像装置１が撮影モードに設定されておらず（ステップＳ１０１：Ｎｏ）、再生モードに設定されている場合（ステップＳ１２６：Ｙｅｓ）において、再生する画像が主画像のみの再生の場合（ステップＳ１２７：Ｙｅｓ）、表示制御部３８７は、通常の主画像データに対応する主画像を表示部３４に表示させる（ステップＳ１２８）。
【００９６】
これに対して、ステップＳ１２７において、再生する画像が主画像のみの再生でない場合（ステップＳ１２７：Ｎｏ）、表示制御部３８７は、主画像データに対応する主画像と、副画像データに対応する副画像を表示部３４に表示させる（ステップＳ１２９）。この場合、表示制御部３８７は、主画像と副画像とを並列、または主画像に副画像を重畳して表示部３４に表示させる。また、表示制御部３８７は、所定の時間ごとに、主画像と副画像とを交互に入れ換えて表示部３４に表示させてもよい。さらに、表示制御部３８７は、主画像および副画像それぞれの表示領域を変えて表示部３４に表示させてもよい。
【００９７】
ステップＳ１２８またはステップＳ１２９の後、再生する画像の変更がある場合（ステップＳ１３０：Ｙｅｓ）、表示制御部３８７は、再生する画像を変更する（ステップＳ１３１）。その後、撮像装置１は、ステップＳ１１７へ移行する。これに対して、再生する画像の変更がない場合（ステップＳ１３０：Ｎｏ）、撮像装置１は、ステップＳ１１７へ移行する。
【００９８】
以上説明した本発明の実施の形態１によれば、パラメータ変更部３８５が操作リング３７１の操作に応じて、副画像生成部３８４が撮像部２７によって生成された画像データに対応する主画像から切り出す切出し領域のパラメータを変更する。この結果、被写体のシャッタチャンスを逃すことなく、視野が異なる２つの領域を容易に変更して撮像することができる。
【００９９】
また、本発明の実施の形態１によれば、ユーザが撮像装置１を被写体に向けて操作リング３７１を操作するだけでよいので、手ブレによる被写体の像ブレを低減することができる。
【０１００】
なお、本発明の実施の形態１では、副画像生成部３８４が主画像から切り出す切出し領域が矩形状をなしていたが、たとえば丸や三角等の形状を適宜設定することができる。
【０１０１】
また、本発明の実施の形態１では、副画像生成部３８４が主画像から切り出す領域が横方向に伸びる矩形状をなしていたが、たとえば縦方向に伸びる矩形状であってもよい。この場合、パラメータ変更部３８５は、追尾被写体設定部３８３が設定した追尾被写体の移動速度に応じて、副画像生成部３８４が主画像から切り出す領域を横方向または縦方向のいずれか一方に切り換えてもよい。さらにまた、パラメータ変更部３８５は、追尾被写体の移動速度に応じて、操作リング３７１の操作による切出し領域の大きさの比率および切出し領域の位置を変更してもよい。
【０１０２】
（実施の形態２）
つぎに、本発明の実施の形態２について説明する。本発明の実施の形態２にかかる撮像装置は、上述した実施の形態と同様の構成を有し、処理のみ異なる。このため、本発明の実施の形態２では、撮像装置が実行する処理のみ説明する。なお、以下においては、同一の構成には同一の符号を付して説明する。
【０１０３】
図２１は、本実施の形態２にかかる撮像装置１が実行する処理の概要を示すフローチャートである。
【０１０４】
図２１において、ステップＳ２０１〜ステップＳ２０５は、上述したステップＳ１０１〜ステップＳ１０５にそれぞれ対応する。
【０１０５】
ステップＳ２０６において、制御部３８は、光軸Ｏ方向に沿って操作リング３７１が第１の位置Ｆ１から第２の位置Ｆ２にシフトを繰り返された回数に応じて対応機能モードを切り換える。具体的には、制御部３８は、ユーザが光軸Ｏ方向に沿って操作リング３７１を第１の位置Ｆ１（図１３を参照）から第２の位置Ｆ２（図１５を参照）を繰り返し移動（シフト）した回数に応じて対応機能モードを切り換える。たとえば、図２２に示すように、制御部３８は、操作リング３７１がシフトされた回数に応じて、撮像装置１の対応機能を光学ズーム、副画像の領域設定、光学ズーム、主画像における副画像の位置、光学ズーム、主画像における副画像の縦位置の順位に切り換える（図２２（ａ）〜（図２２（ｂ））。これにより、ユーザは、操作リング３７１を光軸Ｏ方向に沿って第１の位置Ｆ１から第２の位置Ｆ２にシフトを繰り返すことで、撮影の構図を維持したまま撮像装置１の対応機能モードを容易に変更することができる。
【０１０６】
ステップＳ２０７〜ステップＳ２１０は、上述したステップＳ１０９〜ステップＳ１１２にそれぞれ対応する。なお、パラメータ変更部３８５は、撮像装置１の各対応機能のパラメータを、上述した実施の形態に比して、段階的に変更する。撮像装置１の各対応機能のパラメータを連続的に滑らかに変更した場合、副画像が規格（たとえばアスペクト比）外の領域に設定されたとき、この副画像を規格内になるように加工が必要になり、制御部３８の処理が増大になる。これに対して、本実施の形態２では、撮像装置１の各対応機能のパラメータを段階的、副画像の領域を規格化された領域（たとえばアスペクト１６：９→４：３→２：３）ごとに段階的に変更することで、制御部３８の処理を軽くすることができる。さらに、ユーザにとって操作リング３７１を操作することで直感的に把握することができる。
【０１０７】
ステップＳ２１１およびステップＳ２１２は、上述したステップＳ１０６およびステップＳ１０７にそれぞれ対応する。
【０１０８】
ステップＳ２１３〜ステップＳ２３１は、上述したステップＳ１１３〜ステップＳ１３１にそれぞれ対応する。
【０１０９】
以上説明した本発明の実施の形態２によれば、パラメータ変更部３８５が操作リング３７１の操作に応じて、副画像生成部３８４が撮像部２７によって生成された画像データに対応する主画像から切り出す切出し領域のパラメータを変更する。この結果、被写体のシャッタチャンスを逃すことなく、視野が異なる２つの領域を容易に変更して撮像することができる。
【０１１０】
さらに、本発明の実施の形態２によれば、操作リング３７１を光軸Ｏ方向に沿って前後方向に移動させることで、副画像生成部３８４が主画像から切り出す切出し領域のパラメータを変更することができる。
【０１１１】
（その他の実施の形態）
また、上述した実施の形態では、光学系を含むレンズ鏡筒が本体部と一体的に設けられていたが、たとえば、本体部に対して、着脱自在なレンズ装置を備えたデジタル一眼レフカメラ等の撮像装置システムであっても適用することができる。この場合、レンズ装置のレンズ鏡筒に操作部の操作リングを光軸中心に回転自在に設け、この操作リングの操作に応じて、本体部のパラメータ制御部が副画像生成部による主画像から切り出して副画像データを生成する切出し領域のパラメータを変更してもよい。
【０１１２】
また、上述した実施の形態では、レンズ鏡筒に設けられた操作リングであったが、たとえばプッシュ式のスイッチ等であっても本発明を適用することができる。
【０１１３】
また、上述した実施の形態では、アクチュエータが圧電素子であったが、たとえばリニアモータ、ボイスコイルモータおよびポリマアクチュエータのいずれであっても適用することができる。
【０１１４】
また、上述した実施の形態では、副画像生成部の切出し領域のパラメータとして、光学系の画角、切出し領域の大きさおよび主画像における切出し位置であったが、たとえば、切出し領域の露出、感度およびホワイトバランス等を変更してもよい。また、画像処理部による画像処理の内容を変更、たとえば複数の画像処理を組み合わせることにより視覚的な効果を生じさせる特殊効果処理を行ってもよい。ここで、特殊効果処理とは、複数の画像処理、たとえばソフトフォーカス処理、シェーディング処理およびホワイトアウト処理等の処理を組み合わせた処理である。
【０１１５】
また、上述した実施の形態では、撮像部が連続して生成する動画撮影を例に説明したが、たとえば、静止画を連続して生成する連写撮影であっても本発明を適用することができる。
【０１１６】
また、上述した実施の形態では、本体部に対して接眼部が着脱自在であったが、接眼部と本体部とが一体的に形成されていてもよい。
【０１１７】
また、上述した実施の形態では、画像処理部および副画像生成部が制御部に組み込まれていたが、たとえば画像処理部および副画像生成部を別途設けてもよい。さらに、画像処理部（画像エンジン）を複数設けてもよい。
【０１１８】
また、上述した実施の形態では、接眼表示部と表示部とにそれぞれ画像を表示させていたが、たとえば、２つの表示領域を有する表示モニタであっても本発明を適用することができる。具体的には、２つの表示部を有する携帯電話や多機能端末等にも適用することができる。
【０１１９】
また、本発明に係る撮像装置は、コンパクトデジタルカメラ、デジタル一眼レフカメラ以外にも、例えばアクセサリ等を装着可能なデジタルビデオカメラおよび撮影機能を有する携帯電話やタブレット型携帯機器等の電子機器にも適用することができる。
【０１２０】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１２１】
このように、本発明は、ここでは記載していない様々な実施の形態を含みうるものであり、特許請求の範囲によって特定される技術的思想の範囲内で種々の設計変更等を行うことが可能である。
【符号の説明】
【０１２２】
１    撮像装置
２    本体部
３    レンズ鏡筒
４    接眼部
２１  光学系
２２  レンズ駆動部
２３  絞り
２４  絞り駆動部
２５  シャッタ
２６  シャッタ駆動部
２７  撮像部
２８  撮像部駆動部
２９  信号処理部
３０  発光部
３１  時計
３２  アクセサリ通信部
３３  入力部
３３ａ  電源スイッチ
３３ｂ  レリーズスイッチ
３３ｃ  撮影モード切換スイッチ
３３ｄ  動画スイッチ
３４  表示部
３５  タッチパネル
３６  記録部
３７  操作部
３８  制御部
４１  接眼通信部
４２  接眼表示部
１０１  センサユニット
１０２  固定枠
１０３  カム枠
１０４  フロートキー
１０５  ガイド枠
３７１  操作リング
３７１ａ  凹部
３７１ｂ  溝部
３７２  アクチュエータ
３７２ａ  ボール
３７２ｃ  圧電素子
３７２ｇ  押圧バネ
３７２ｂ  支持部材
３７２ｆ  接触部材
３７２ｈ  板バネ
３７２ｅ  保持枠
３７３  アクチュエータ駆動部
３７４  位置検出部
３７４ａ  接触部材
３７４ｂ  導通部材
３７５  回転位置検出部
３７６ａ  ビス
３７６  操作枠
３８１  画像処理部
３８２  顔検出部
３８３  追尾被写体設定部
３８４  副画像生成部
３８５  パラメータ変更部
３８６  撮影制御部
３８７  表示制御部
３８８  記録制御部
【図１】
0006577991.tif 000002
【図２】
0006577991.tif 000003
【図３】
0006577991.tif 000004
【図４】
0006577991.tif 000005
【図５】
0006577991.tif 000006
【図６】
0006577991.tif 000007
【図７】
0006577991.tif 000008
【図８】
0006577991.tif 000009
【図９】
0006577991.tif 000010
【図１０】
0006577991.tif 000011
【図１１】
0006577991.tif 000012
【図１２】
0006577991.tif 000013
【図１３】
0006577991.tif 000014
【図１４】
0006577991.tif 000015
【図１５】
0006577991.tif 000016
【図１６】
0006577991.tif 000017
【図１７】
0006577991.tif 000018
【図１８】
0006577991.tif 000019
【図１９】
0006577991.tif 000020
【図２０】
0006577991.tif 000021
【図２１】
0006577991.tif 000022
【図２２】
0006577991.tif 000023